【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
アーチェリー用の弓部に取り付けられるサイトであって、
該サイトは、
該弓部に対して固定され、第一の摺動面と、該第一の摺動面と反対側の対応する箇所に配置される第二の摺動面とを有するエレベーションバーと、
該第二の摺動面に対向する第三の摺動面を有し、該エレベーションバーに沿って摺動可能に取り付けられているボックスとを備え、
該ボックスは、
サイトピンと、
該第一の摺動面に対向するように該ボックスに取り付けられる樹脂部材と、
ネジ部を有し、該樹脂部材に対して穿設された孔と、
該ネジ部に螺嵌されるネジであって、該ネジを締めると、該樹脂部材を該第一の摺動面に対して押圧することが可能なネジとを備えることを特徴とするサイト。
【請求項２】
請求項１に記載のサイトであって、該ボックスは、該ネジを締め付けた際に、該樹脂部材を押圧することにより該第一の摺動面に対して生じる圧力で、該エレベーションバーは該第二の摺動面を該第三の摺動面に押圧して該エレベーションバーの断面の水平方向および垂直方向に固定し、その状態でも該エレベーションバーに沿って該ボックスが摺動可能であることを特徴とするサイト。
【請求項３】
請求項１または２に記載のサイトであって、該樹脂部材は両端が該ボックスに対して固定される板状体であって、該ネジは前記両端の間の位置に複数個が配置されていることを特徴とするサイト。
【請求項４】
請求項１から３に記載のサイトであって、該ネジを締め付けた際に該樹脂部材が該第一の摺動面に対して押圧されることにより該エレベーションバーの断面の水平方向および垂直方向に固定された前記状態で、該ボックスは、該樹脂部材と該第一の摺動面との間および該第二の摺動面と該第三の摺動面との間にあそびが無い状態で該エレベーションバーに沿って該ボックスが摺動可能であることを特徴とするサイト。
【請求項５】
請求項１から４に記載のサイトであって、該エレベーションバーの第二の摺動面または該ボックスの第三の摺動面のいずれか一方は該エレベーションバーに沿った溝の一部を構成し、その他方は該溝と係合可能な突起の一部を構成することを特徴とするサイト。
【請求項６】
請求項１から５に記載のサイトであって、該第三の摺動面は樹脂でできていることを特徴とするサイト。
【請求項７】
請求項１から６に記載のサイトであって、該エレベーションバーは該第一の摺動面に対して角度を持った第四の摺動面を備え、
該ボックスは、さらに、
第四の摺動面に対向するように該ボックスに取り付けられる他の樹脂部材と、
ネジ部を有する他の孔と、
該他の孔のネジ部に螺嵌される他のネジであって、該他のネジを締めると、該他の樹脂脂部材を該第四の摺動面に対して押圧させることが可能な他のネジとを備えることを特徴とするサイト。
【請求項８】
アーチェリー用の弓部に取り付けられるサイトであって、
該サイトは、
該弓部に対して固定され、第一の摺動面と、該第一の摺動面と反対側の対応する箇所に配置される第二の摺動面と、該第一の摺動面と角度をもって配置される第四の摺動面と、該第四の摺動面と反対側の対応する箇所に配置される第五の摺動面とを有するエレベーションバーと、
該第二の摺動面に対向する第三の摺動面および該第五の摺動面に対向する第六の摺動面とを備え、該エレベーションバーに沿って摺動可能に取り付けられているボックスとを備え、
該ボックスは、
サイトピンと、
該第一の摺動面に対向するように該ボックスに取り付けられる第一の樹脂部材および該第四の摺動面に対向するように該ボックスに取り付けられる第二の樹脂部材と、
それぞれネジ部を有し、該第一の樹脂部材に対して穿設された第一の孔および該第二の樹脂部材に対して穿設された第二の孔と、
該第一の孔および該第二の孔のそれぞれのネジ部に螺嵌される第一のネジおよび第二のネジであって、該第一のネジおよび該第二のネジを締めると、該第一の樹脂部材を該第一の摺動面に対して押圧し、該第二の樹脂部材を該第四の摺動面に対して押圧することが可能な第一のネジおよび該第二のネジとを備えることを特徴とするサイト。
【請求項９】
請求項８に記載のサイトであって、該ボックスは、該第一のネジおよび該第二のネジを締め付けた際に、該第一の樹脂部材および該第二の樹脂部材を押圧することにより該第一の摺動面および該第四の摺動面に対して生じる圧力で、該エレベーションバーは該第二の摺動面および該第五の摺動面を該第三の摺動面および該第六の摺動面に押圧して該エレベーションバーの断面の水平方向および垂直方向に固定し、その状態で該エレベーションバーに沿って該ボックスが摺動可能であることを特徴とするサイト。
【請求項１０】
請求項８に記載のサイトであって、該第一の樹脂部材および該第二の樹脂部材のそれぞれは、両端が該ボックスに対して固定される板状の形状であって、該第一のネジおよび該第二のネジのそれぞれは前記該第一の樹脂および該第二の樹脂のそれぞれの両端の位置に複数個が配置されていることを特徴とするサイト。
【請求項１１】
請求項８から１０に記載のサイトであって、該第一のネジおよび該第二のネジを締め付けた際に該第一の樹脂部材が該第一の摺動面に対して押圧されることにより、該第二の樹脂部材が該第四の摺動面に対して押圧されることにより該エレベーションバーの断面の水平方向および垂直方向に固定された前記状態で、該ボックスは、該第一の樹脂と該第一の摺動面との間と、該第二の摺動面と該第三の摺動面との間と、該第二の樹脂と該第四の摺動面との間と、該第五の摺動面と該第六の摺動面との間とにあそびが無い状態で該エレベーションバーに沿って該ボックスが摺動可能であることを特徴とするサイト。
【請求項１２】
請求項８から請求項１１に記載のサイトであって、該第三の摺動面および該第六の摺動面は樹脂でできていることを特徴とするサイト。 
【手続補正２】
【補正対象書類名】明細書
【補正対象項目名】００１４
【補正方法】変更
【補正の内容】
【００１４】
図５は、図３のエレベーションバー１１とボックス１２の関係を模式的に示したものである。以下、図３と図５を参照して、さらに詳細に説明する。
第一の摺動面２０と同じ側であってボックス１２と反対側のエレベーションバー１１には第二の摺動面２１が配置され、一方、第四の摺動面２３と同じ側であってボックス１２と反対側のエレベーションバー１１には第五の摺動面２４が配置されている。
一方、ボックス１２側において、第二の摺動面２１と第五の摺動面２４とに対向するボックス１２のそれぞれの箇所には他の弾性体たる受け部１６と受け部１７が配置されている。受け部１６と受け部１７はそれぞれ弾性のある樹脂で形成されるのが好ましい。たとえば、ポリアミド樹脂やポリアセタール樹脂などが代表例である。
【手続補正３】
【補正対象書類名】明細書
【補正対象項目名】００１７
【補正方法】変更
【補正の内容】
【００１７】
このように、押圧手段たるネジによりボックス１２は、エレベーションバー１１にその断面の水平方向および垂直方向のいずれにもほぼあそびがない状態でほぼ固定された状態となる。しかし、押さえ板１４および押さえ板１５と受け部１６と受け部１７は弾性を有する化学樹脂でできているため、押さえ板１４および押さえ板１５とをそれぞれ押圧手段たる押さえネジ３０および３２と押さえネジ３１および押さえネジ３３により変形させて第一の摺動面２０に押し付けられた状態、すなわち水平方向および垂直方向のいずれにもほぼあそびがないほぼ固定された状態においても、ボックス１２は第一の摺動面２０に沿ってエレベーションバー１１の長手方向である軸方向にあそびがない状態で摺動可能である。
つまり、押さえ板１４および押さえ板１５と受け部１６と受け部１７によって、ボックス１２とエレベーションバー１１の隙間が無くなってボックス１２とエレベーションバー１１の断面の水平方向および垂直方向のいずれの方向にも固定された状態でありながら、ボックス１２がエレベーションバー１１に沿って可動となる。これにより、ボックス１２に取り付けられたサイトピン６のエレベーションバー１１に対する位置の再現性が高くなる。
なお、押さえネジ３０および押さえネジ３２の突出量を調整すれば、押さえ板１４が第一の摺動面２０を押さえる力を調整することができる。これにより、押さえ板１４と第一の摺動面２０との間の摩擦力を調整することができ、ボックス１２のエレベーションバー１１に対する移動の状態の調整をすることができる。押さえネジ３１および押さえネジ３３と押さえ板１５の関係も同様である。
【手続補正４】
【補正対象書類名】図面
【補正対象項目名】図５
【補正方法】変更
【補正の内容】
【図５】
2006046850.tif 000001